(57)【要約】【課題】  チャッキングモードとアンチャッキングモードとが横方向の往復移動を行うスライダの位置によって選択されるということに着目し、スライダの移動に連動させてディスク重挿を防ぐためのシャッタを作用位置に位置させる。【解決手段】  チャキングモードとアンチャッキングモードとが横方向の往復移動を行うスライダ３の位置によって選択されるディスクローディング装置において、ディスクの挿入を阻止する作用位置とディスクの挿入を許容する退避位置との間で往復移動するシャッタ５を設ける。シャッター５の退避位置から作用位置への往動を、アンチャッキングモードからチャッキングモードへのモード切換えを行うスライダ３の往動に連動させる。【選択図】        図５
2007234187.tif 000002
【特許請求の範囲】
【請求項１】
ディスク挿抜口を経て挿入されたディスクを回転テーブルに保持させるチャキングモードと回転テーブルに対するディスクの保持状態を解除するアンチャッキングモードとが、ディスク挿抜方向に対して直交する横方向の往復移動を行うスライダの位置によって選択されるように構成されているディスクローディング装置において、
上記ディスク挿抜口に突入してディスクの挿入を阻止する作用位置と上記ディスク挿抜口から退避してディスクの挿入を許容する退避位置との間で往復移動するシャッタを備え、このシャッターの退避位置から作用位置への往動が、上記アンチャッキングモードからチャッキングモードへのモード切換えを行う上記スライダの往動に連動されていると共に、このシャッターの作用位置から退避位置への復動が、上記チャッキングモードからアンチャッキングモードへのモード切換えを行う上記スライダの復動に連動され、
上記シャッタが、定位置に回転自在に保持された軸部と、この軸部の一端に曲成されたシャッタ本体と、この軸部の他端に曲成されたスライダ位置検出部と、を有し、
上記シャッタ本体が、当該シャッタの往動に伴う上記軸部の正方向回転を通じ上記ディスク挿抜口に突入してディスクの挿入を阻止し、かつ、当該シャッタの復動に伴う上記軸部の逆方向回転を通じ上記ディスク挿抜口から退避してディスクの挿入を許容するように形成され、
上記スライダ位置検出部が、上記スライダの往動を通じそのスライダに具備されている凸形カム面に乗り上がって上記軸部を正方向回転させ、上記スライダの復動を通じてその上記凸型カム面から離脱して上記軸部を逆方向回転させるように構成され、
上記スライダ位置検出部が凸型カム面から離脱したときの上記軸部の逆方向回転が、上記シャッタ本体の重量によって行われるように構成されていることを特徴とするディスクローディング装置。
【請求項２】
ディスク挿抜口を経て挿入されたディスクを回転テーブルに保持させるチャキングモードと回転テーブルに対するディスクの保持状態を解除するアンチャッキングモードとが、ディスク挿抜方向に対して直交する横方向の往復移動を行うスライダの位置によって選択されるように構成されているディスクローディング装置において、
上記ディスク挿抜口に突入してディスクの挿入を阻止する作用位置と上記ディスク挿抜口から退避してディスクの挿入を許容する退避位置との間で往復移動するシャッタを備え、このシャッターの退避位置から作用位置への往動が、上記アンチャッキングモードからチャッキングモードへのモード切換えを行う上記スライダの往動に連動されていると共に、このシャッターの作用位置から退避位置への復動が、上記チャッキングモードからアンチャッキングモードへのモード切換えを行う上記スライダの復動に連動されていることを特徴とするディスクローディング装置。
【請求項３】
上記シャッタが、定位置に回転自在に保持された軸部と、
この軸部に連設されて、当該シャッタの往動に伴う当該軸部の正方向回転を通じ上記ディスク挿抜口に突入してディスクの挿入を阻止し、かつ、当該シャッタの復動に伴う当該軸部の逆方向回転を通じ上記ディスク挿抜口から退避してディスクの挿入を許容するシャッタ本体と、
上記軸部に連設されて、上記スライダの往動を検出してその軸部を正方向回転させ、かつ、上記スライダの復動を検出してその軸部を逆方向回転させるスライダ位置検出部が連設されている請求項２に記載したディスクローディング装置。
【請求項４】
一本の線材を折り曲げることによって上記軸部と上記シャッタ本体と上記スライダ位置検出部が形成された上記シャッタを有してなる請求項２に記載したディスクローディング装置。
【請求項５】
上記スライダ位置検出部が、上記スライダの往動を通じてそのスライダに具備されている凸形カム面に乗り上がって上記軸部を正方向回転させ、上記スライダの復動を通じてその上記凸型カム面から離脱して上記軸部を逆方向回転させるように構成されている請求項４に記載したディスクローディング装置。
【発明の詳細な説明】
【技術分野】
【０００１】
本発明は、ディスクローディング装置、特に、回転テーブルにディスクが保持されているにもかかわらず、さらにディスクがディスク挿抜口から挿入されてしまうという事態を未然に阻止するための対策を講じたディスクローディング装置に関する。
【背景技術】
【０００２】
ディスクローディング装置は、ＤＶＤプレーヤやＤＶＤレコーダといったＤＶＤ装置などの記録媒体としてディスクを取り扱う電気電子機器に採用されている。この種のディスクローディング装置は、ディスクトレーの出退動作を通じてディスクを出し入れするタイプの装置（たとえば、特許文献１参照）と、ディスクトレーを使わずにディスクを直接に出し入れするタイプの装置とに大別することができる。このうち、後者は一般にスロットインタイプのディスクローディング装置として知られている。
【０００３】
ところで、特許文献１に見られるようなディスクトレーの出退動作を通じてディスクを出し入れするものでは、キャピネット外側のディスク交換位置に突出しているディスクトレーにディスクが供給されているか否かを目視判別することによってディスクを追加することができるか否かを見極めることが容易に可能である。これに対し、スロットインタイプのディスクローディング装置では、回転テーブルにディスクが先行して供給されているか否かを目視によって見極めることが困難であるために、ユーザが不注意や錯覚によって、回転テーブルにディスクが保持されているにもかかわらず、さらにディスクをディスク挿抜口から挿入してしまうというディスク重挿が起こり得る。このようなディスク重挿は、いたずらによって起こることもあり得る。そして、無理にディスク重挿が行われてしまうと、ディスクを取り出すことができなくなったり、場合によっては、ディスクの記録再生を行うための精密機構が損傷を受けたり破壊されたりすることもある。
【特許文献１】特開２００５−２６７７８０号公報
【発明の開示】
【発明が解決しようとする課題】
【０００４】
本発明は以上の状況に鑑みてなされたものであり、ディスク重挿を未然に防止すること、特にスロットインタイプのディスクローディング装置についてのディスク重挿を未然にかつ確実に防止することを目的とする。
【課題を解決するための手段】
【０００５】
本発明に係るディスクローディング装置では、ディスク挿抜口を経て挿入されたディスクを回転テーブルに保持させるチャキングモードと回転テーブルに対するディスクの保持状態を解除するアンチャッキングモードとが、ディスク挿抜方向に対して直交する横方向の往復移動を行うスライダの位置によって選択されるように構成されている。
【０００６】
そして、上記ディスク挿抜口に突入してディスクの挿入を阻止する作用位置と上記ディスク挿抜口から退避してディスクの挿入を許容する退避位置との間で往復移動するシャッタを備え、このシャッターの退避位置から作用位置への往動が、上記アンチャッキングモードからチャッキングモードへのモード切換えを行う上記スライダの往動に連動されていると共に、このシャッターの作用位置から退避位置への復動が、上記チャッキングモードからアンチャッキングモードへのモード切換えを行う上記スライダの復動に連動されている。
【０００７】
この構成のディスクローディング装置においては、チャッキングモードは回転テーブルにディスクが先行して保持されているモードであるので、ディスク挿抜口からディスクが新たに挿入されてしまうとディスク重挿が発生する。しかし、上記構成のディスクローディング装置では、チャッキングモードが選定されているときにシャッタが作用位置に位置してディスク挿抜口からのディスクの挿入を阻止するので、ディスク重挿が行われようとしてもそれが未然に防止される。これに対し、アンチャッキングモードは回転テーブルに対するディスクの保持状態が解除されているモードであるので、それまで回転テーブルに保持されていたディスクはディスク挿抜口から排出されていて、回転テーブルは次のディスクを受け入れるために待機している。そして、このアンチャッキングモードが選定されているときには、シャッタが退避位置に位置してディスク挿抜口からのディスクの挿入を許容しているので、ディスクを不都合なく挿入することが可能である。
【０００８】
特に、この発明では、チャッキングモードとアンチャッキングモードとが横方向の往復移動を行うスライダの位置によって選択されるということに着目して、シャッタを作用位置と退避位置とに選択的に位置させるという構成を採用しているので、ディスク重挿を禁止する必要があるときには必ずディスク重挿が阻止されるようになって、ディスク重挿防止作用が適切に発揮されるようになる。
【０００９】
本発明では、上記シャッタが、定位置に回転自在に保持された軸部と、この軸部に連設されて、当該シャッタの往動に伴う当該軸部の正方向回転を通じ上記ディスク挿抜口に突入してディスクの挿入を阻止し、かつ、当該シャッタの復動に伴う当該軸部の逆方向回転を通じ上記ディスク挿抜口から退避してディスクの挿入を許容するシャッタ本体と、上記軸部に連設されて、上記スライダの往動を検出してその軸部を正方向回転させ、かつ、上記スライダの復動を検出してその軸部を逆方向回転させるスライダ位置検出部が連設されている、という構成を採用することができ、これによれば、シャッタが１部品で構成されるために部品点数の増加を最少限度に抑えることが可能になる。
【００１０】
本発明では、一本の線材を折り曲げることによって上記軸部と上記シャッタ本体と上記スライダ位置検出部が形成された上記シャッタを有してなる、という構成を採用することが可能であり、これによれば、シャッタを一本の線材によって安価にかつ容易に製作することが可能である。
【００１１】
本発明では、上記スライダ位置検出部が、上記スライダの往動を通じてそのスライダに具備されている凸形カム面に乗り上がって上記軸部を正方向回転させ、上記スライダの復動を通じてその上記凸型カム面から離脱して上記軸部を逆方向回転させるように構成されている、という構成を採用することが可能であり、これによれば、スライダの往復移動とシャッタの往復移動とが確実に連動されて動作信頼性が向上する。
【００１２】
本発明に係るディスクローディング装置は、ディスク挿抜口を経て挿入されたディスクを回転テーブルに保持させるチャキングモードと回転テーブルに対するディスクの保持状態を解除するアンチャッキングモードとが、ディスク挿抜方向に対して直交する横方向の往復移動を行うスライダの位置によって選択されるように構成されているディスクローディング装置において、上記ディスク挿抜口に突入してディスクの挿入を阻止する作用位置と上記ディスク挿抜口から退避してディスクの挿入を許容する退避位置との間で往復移動するシャッタを備え、このシャッターの退避位置から作用位置への往動が、上記アンチャッキングモードからチャッキングモードへのモード切換えを行う上記スライダの往動に連動されていると共に、このシャッターの作用位置から退避位置への復動が、上記チャッキングモードからアンチャッキングモードへのモード切換えを行う上記スライダの復動に連動され、上記シャッタが、定位置に回転自在に保持された軸部と、この軸部の一端に曲成されたシャッタ本体と、この軸部の他端に曲成されたスライダ位置検出部と、を有し、上記シャッタ本体が、当該シャッタの往動に伴う上記軸部の正方向回転を通じ上記ディスク挿抜口に突入してディスクの挿入を阻止し、かつ、当該シャッタの復動に伴う上記軸部の逆方向回転を通じ上記ディスク挿抜口から退避してディスクの挿入を許容するように形成され、上記スライダ位置検出部が、上記スライダの往動を通じそのスライダに具備されている凸形カム面に乗り上がって上記軸部を正方向回転させ、上記スライダの復動を通じてその上記凸型カム面から離脱して上記軸部を逆方向回転させるように構成され、上記スライダ位置検出部が凸型カム面から離脱したときの上記軸部の逆方向回転が、上記シャッタ本体の重量によって行われるように構成されている、という構成を採用することによっていっそう具体化される。この発明の作用は後述する実施形態を参照して詳細に説明する。
【発明の効果】
【００１３】
以上のように、本発明は、チャッキングモードとアンチャッキングモードとが横方向の往復移動を行うスライダの位置によって選択されるということに着目し、そのスライダの往復移動に連動させてシャッタを作用位置と退避位置とに選択的に位置させるという構成を採用しているので、ディスク重挿を禁止する必要があるときには作用位置に位置しているシャッタによって必ずディスク重挿が阻止されるようになり、ディスク重挿を禁止することが不必要なときにはシャッタが退避位置に位置してディスクの挿入が許容されるようになるために、ディスク重挿防止作用が適切に発揮されるようになる。このため、ユーザ側で不慮にあるいはいたずらによりディスク重挿が行われてディスクを排出することができなくなるという事態や、ディスクの記録再生を行うための精密機構が損傷を受けたり破壊されたりするという事態が未然に防止される。特に、シャッターを一本の線材によって構成したものでは、シャータを安価に製作でき、しかも部品の増加が最少限度に抑えられるために、ディスクローディング装置の全体価格にシャッタを設けるための必要コストが大きな影響を及ぼさないという利点もある。
【発明を実施するための最良の形態】
【００１４】
図１は本発明の実施形態に係るディスクローディング装置のディスク重挿が防止されている動作状態での概略縦断側面図、図２は同ディスクローディング装置のディスクの挿入が許容されている初期状態での概略縦断側面図である。また、図３はシャッタ５の配備位置を説明するための説明図、図４はスライダ３の往復移動による作用を説明するための概略正面図、図５は図１の動作状態に対応する要部の概略斜視図、図６は図２の初期状態に対応する要部の概略斜視図である。
【００１５】
図１及び図２に示したディスクローディング装置は、当該ディスクローディング装置自体の筐体フレーム又は当該ディスクローディング装置が装備されるＤＶＤプレーヤ又はＤＶＤレコーダなどのディスク装置のフロントキャビネットといった筐体要素に設けられているディスク挿抜口１を有していて、このディスク挿抜口１を経由してディスクＤが回転テーブル２に対して給排される。
【００１６】
回転テーブル２は、一端が固定フレーム２１に上下揺動可能に取り付けられた可動シャーシ２２に搭載されているモータ２３の回転軸に固着されている。また、固定フレーム２の他端は、スライダ３の横方向の往復移動を通じて上下に一定範囲内で昇降される可動体３１に相対揺動可能に取り付けられていて、この可動体３１が図１に示した上位置に位置して可動シャーシ２２をその一端側を支点にして上動させているときには、回転テーブル２がその相手方であるクランパ４と共働して当該回転テーブル２に載架されたディスクＤを保持し得る状態としてのチャッキングモードになり、可動体３１が図２に示した下位置に位置して可動シャーシ２２をその一端側を支点にして下動させているときには、回転テーブル２がその相手方であるクランパ４の下方に退避してそれら両者の相互間にディスクを出し入れし得る状態としてのアンチャッキングモードになるように構成されている。なお、上記クランパ４は当該ディスクローディング装置に備わっている固定枠４１によって保持されている。
【００１７】
図４に示したように、スライダ３はカム溝３２を有していて、このカム溝３２に上記可動体３１に備わっている摺動体３３が嵌合されている。また、スライダ３は、図１又は図２に示したディスク挿抜口１を経て挿抜されるディスクＤの挿抜方向Ａ（図２参照）に対して直交する横方向で往動（矢印Ｌ）及び復動（矢印Ｒ）するように図外のガイド部材によってガイドされていると共に、その往動や復動が、スライダ３に具備されているラック３４に噛み合ったピニオン３５の正回転や逆回転を通じて制御されるようになっている。そして、スライダ３が矢印Ｌで示したように往動することによって可動体３１が上昇するのに対し、スライダ３が矢印Ｒで示したように復動することによって可動体３１が下降するように上記カム溝３２の形状が定められている。なお、可動体３１の昇降動作は図示していないガイド部材によって案内されるようになっている。
【００１８】
以上説明したように、この実施形態に係るディスクローディング装置では、ディスク挿抜口１を経て挿入されたディスクＤを回転テーブル２に保持させるチャキングモードと回転テーブル２に対するディスクの保持状態を解除するアンチャッキングモードとが、ディスク挿抜方向Ａに対して直交する横方向の往復移動を行うスライダ３の位置によって選択されるように構成されている。
【００１９】
このことに追加して、この実施形態に係るディスクローディング装置は、スライダ３の往動や復動に連動するシャッタ５を具備させてあり、このシャッタ５によってディスク重挿を防止することができるようになっている。この点を次に説明する。
【００２０】
図５又は図６に示したように、シャッタ５は、一本の線材を折り曲げることによって形成された軸部５１とシャッタ本体５２とスライダ位置検出部５３とを有していて、図例のシャッタ５では、シャッタ本体５２が門形部５４を有しているのに対し、スライダ位置検出部５３がその先端に湾曲した呼込みガイド部５５を有している。また、図１又は図２のように、軸部５１が、当該ディスクローディング装置の枠体６の孔部６１に回転自在に挿通されてていると共に、その軸部５１から延び出た上記シャッタ本体５２が上記ディスク挿抜口１の内側に配備され、かつ、そのシャッタ本体５２と平行な上記スライダ位置検出部５３が上記スライダ３の上方に配備されている。また、スライダ位置検出部５３の呼込みガイド部５５の相手方としての凸形カム面３６がスライダ３に備わっている。そして、スライダ３が図５矢印Ｌのように往動するときには、それに連動して上記したチャッキングモードが選択されると共に、図５のように凸型カム面３６がスライダ位置検出部５３の呼込みガイド部３６を乗り上がらせて軸部５１が正方向に回転し、それに伴ってシャッタ本体５２が上動して門形部５４が図１に示したディスク挿抜口１の内側でそのディスク挿抜口１を塞ぐように位置する。このときのシャッタ５の位置が作用位置であり、この作用位置では、シャッタ５が図１のようにディスク挿抜口１に突入してディスクの挿入を阻止する作用を発揮する。これに対し、スライダ３が図６矢印Ｒのように復動するときには、それに連動して上記したアンチャッキングモードが選択されると共に、図６のように凸型カム面３６からスライダ位置検出部５３の呼込みガイド部３６が離脱して軸部５１が逆方向に回転し、それに伴ってシャッタ本体５２が下動して門形部５４が図１に示したディスク挿抜口１の内側の位置からその下方に退避する。このときのシャッタ５の位置が退避位置であり、この退避位置では、シャッタ５がディスク挿抜口１を開放してディスクの挿入を許容する作用を発揮する。
【００２１】
なお、図１及び図２において、７はディスク給排用のローラであり、このローラ７は、ディスクローディング時及びアンローディング時にのみディスクに接触する位置に上昇してそのディスクに引込み方向又は排出方向の送り力を付与し、それ以外のときには下降位置で待機している。
【００２２】
以上のように構成されているディスクローディング装置によると、図１のように回転テーブル２とクランパ４とによってディスクＤがチャッキングされているチャッキングモードではスライダ３が図５のように往動していて、そのようなスライダ３の往動位置が、スライダ３側の凸型カム面３６に乗り上がった呼込みガイド部５５を有するスライダ位置検出部５３によって検出されるために、シャッタ５のシャッタ本体５２が作用位置に位置してその門形部５４が図１のようにディスク挿抜口１をその内側で塞いでいる。そのため、ユーザが新たにディスクを挿入しよとうしても、ディスクが門形部５４に突き当たってそのディスクの挿入が阻止される。これがシャッタ５によるディスク重挿防止作用である。
【００２３】
一方、図２のように回転テーブル２がクランパ４から離れているアンチャッキングモードではスライダ３が図６のように復動していて、そのようなスライダ３の往動位置が、スライダ３側の凸型カム面３６から離脱した呼込みガイド部５５を有するスライダ位置検出部５３によって検出されるために、シャッタ５のシャッタ本体５２が退避位置に位置してその門形部５４が図２のようにディスク挿抜口１を開放している。そのため、ユーザは新たにディスクを挿入することが可能であり、ディスクを挿入してもディスク重挿という事態は起こらない。
【００２４】
この実施形態では、図５又は図６のように、シャッタ５のシャッタ本体５２の長さをスライダ位置検出部５３の長さよりも長くすることによって、スライダ位置検出部５３の自重によって軸部５１を逆方向に回転させる力が常時発生するようにしてある。そのため、シャッタ５の作用位置から退避位置への復動がばねなどの余分な部材を用いることなく行われる。シャッタ５の作用位置から退避位置への往動は、スライダ３側の凸型カム面３６にスライダ位置検出部５３の呼込みガイド部５５が乗り上がることによって行われるために、この動作についてもばねなどの余分な部材を必要としない。
【００２５】
図３に示したように、この実施形態において、シャッタ５については、そのシャッタ本体５２の門形部５４をディスク挿抜口１の長手方向（横方向）中央部に位置させてある。そのため、ディスク重挿が行われようとしたときには、仮想線で示したように新たに挿入されるディスクＤが門形部５４に必ず突き当たって確実にディスク重挿を阻止し得るという作用が発揮される。
【図面の簡単な説明】
【００２６】
【図１】本発明の実施形態に係るディスクローディング装置の動作状態での概略縦断側面図である。
【図２】同ディスクローディング装置の初期状態での概略縦断側面図である。
【図３】シャッタの配備位置を説明するための説明図である。
【図４】スライダの往復移動による作用を説明するための概略正面図である。
【図５】図１の動作状態に対応する要部の概略斜視図である。
【図６】図２の初期状態に対応する要部の概略斜視図である。
【符号の説明】
【００２７】
Ｄ  ディスク
１  ディスク挿抜口
２  回転テーブル
３  スライダ
５  シャッタ
３６  凸形カム面
５１  軸部
５２  シャッタ本体
５３  スライダ位置検出部
【図１】
2007234187.tif 000003
【図２】
2007234187.tif 000004
【図３】
2007234187.tif 000005
【図４】
2007234187.tif 000006
【図５】
2007234187.tif 000007
【図６】
2007234187.tif 000008